(57)【要約】【課題】パチンコ機の前面側に配置した灰皿の状態が勝手に切り換えられる悪戯行為を防止しながら、灰皿状態の切換作業性及び裏構造の設計性を向上させる。【解決手段】灰皿１８の使用可能状態と使用不能状態との間の切換動作を可能にするための切換機構２２の操作部２９をガラス扉１３の後方に配置し、ガラス扉１３を前方に開放したときにパチンコ機１１の前面側から操作部２９を操作できるようにする。これにより、ガラス扉１３を閉鎖して施錠したときには、灰皿１８の状態が勝手に切り換えられる悪戯行為を防止できる。一方、ガラス扉１３の施錠を解除してガラス扉１３を開放すれば、操作部２９を操作して灰皿１８の状態を切り換える作業を全てパチンコ機１１の前面側から行うことができ、灰皿状態の切換作業性を向上させることができる。また、パチンコ機１１の裏面側から操作部２９を操作する必要がないため、裏構造の設計が容易になる。【選択図】図１
2007202958.tif 000002
【特許請求の範囲】
【請求項１】
遊技機の前面側に配置されて使用可能状態と使用不能状態との間を切換動作可能な灰皿と、この灰皿の切換動作を可能にするための切換機構とを備えた遊技機の灰皿装置において、
前記遊技機の前面側に開閉可能に設けられた前面開閉部材の後方に前記切換機構の操作部を配置し、前記前面開閉部材を開放したときに前記遊技機の前面側から前記操作部を操作できるように構成したことを特徴とする遊技機の灰皿装置。
【発明の詳細な説明】
【技術分野】
【０００１】
本発明は、遊技機の前面側に使用可能状態と使用不能状態との間を切換動作可能な灰皿を配置した遊技機の灰皿装置に関するものである。
【背景技術】
【０００２】
従来の一般的なパチンコ機等の遊技機においては、遊技者が喫煙できるように遊技機の前面下部に灰皿が配置されている。ところが、近年、パチンコホール等の遊技店においては、遊技機を設置する島設備に、タバコの灰や吸い殻等を回収する回収機構を設けて、遊技機の灰皿を清掃する手間を省くことができるようにしたり、嫌煙者の増加に伴って禁煙コーナーを設けることが多くなってきている。このような回収機構を備えた島設備や禁煙コーナーに設置する遊技機は、灰皿を使用できない状態にしておくことが好ましい。
【０００３】
そこで、特許文献１（特開平８−１３１６３５号公報）に記載されているように、灰皿を表向きにしてタバコの灰や吸い殻等を受け入れ可能な使用可能状態と、この灰皿を裏向きに反転させた使用不能状態とを切り換えることができるようにしたものがある。この特許文献１の灰皿装置では、灰皿を支持する球受皿のネジ孔に螺着したネジを締め込むことで灰皿を使用可能状態や使用不能状態で固定するようにしている。
【０００４】
しかし、上記特許文献１の灰皿装置は、灰皿を使用可能状態や使用不能状態で固定するネジが遊技機前面の球受皿に設けてあるため、遊技者等がネジを緩めて灰皿の状態を勝手に切り換えてしまう悪戯が行われる可能性がある。
【０００５】
この対策として、特許文献２（特開平９−２７１５７３号公報）に記載されているように、下皿ユニットに灰皿を使用可能状態と使用不能状態との間を切換動作可能に設け、この灰皿の切換動作を阻止するためのスライド部材を下皿ユニットの裏面側から操作する構成としたものがある。
【特許文献１】特開平８−１３１６３５号公報（第３頁、第５図等）
【特許文献２】特開平９−２７１５７３号公報（第３頁、第３図等）
【発明の開示】
【発明が解決しようとする課題】
【０００６】
しかし、上記特許文献２の灰皿装置は、灰皿の切換動作を阻止するためのスライド部材を下皿ユニットの裏面側から操作する構成としたので、灰皿を使用可能状態と使用不能状態との間で切り換える場合には、まず、下皿ユニットが取り付けられた本体枠等を前方に開放して、下皿ユニットの裏面側からスライド部材を操作して灰皿が切換動作可能な状態にした後、下皿ユニットの前面側から灰皿の状態を切り換え、その後、再び、下皿ユニットの裏面側からスライド部材を操作して灰皿の切換動作を阻止する状態に戻すといったように、下皿ユニットの裏面側と前面側の両方向から作業する必要があり、灰皿状態の切換作業に非常に手間が掛かるという欠点がある。しかも、下皿ユニットの裏面側からスライド部材を操作する際に、裏面側に配置された裏部品やハーネス等が邪魔にならないように、遊技機の裏構造を設計する必要があるため、遊技機の裏構造の設計が困難になる（設計の自由度が小さくなる）という欠点もある。
【０００７】
本発明は、これらの事情を考慮してなされたものであり、従って本発明の目的は、灰皿状態が勝手に切り換えられる悪戯行為を防止しながら、灰皿状態の切換作業性及び裏構造の設計性を向上させることができる遊技機の灰皿装置を提供することにある。
【課題を解決するための手段】
【０００８】
上記目的を達成するために、請求項１に係る発明は、遊技機の前面側に配置されて使用可能状態と使用不能状態との間を切換動作可能な灰皿と、この灰皿の切換動作を可能にするための切換機構とを備えた遊技機の灰皿装置において、遊技機の前面側に開閉可能に設けられた前面開閉部材の後方に切換機構の操作部を配置し、前面開閉部材を開放したときに遊技機の前面側から操作部を操作できるように構成したものである。
【０００９】
一般に、遊技機の前面側に開閉可能に設けた前面開閉部材（例えばガラス枠や前面パネル等）は、防犯性を高めるために、通常は閉鎖状態で施錠される。本発明は、前面開閉部材の後方に切換機構の操作部を配置するようにしたので、前面開閉部材が閉鎖状態で施錠されている通常時には、遊技者等が勝手に操作部を操作することができず、灰皿状態が勝手に切り換えられる悪戯行為を未然に防止することができる。
【００１０】
一方、従業員等が灰皿状態を切り換える場合には、従業員等が前面開閉部材の施錠を解除して前面開閉部材を開放すれば、遊技機の前面側から切換機構の操作部を操作できる状態となる。この状態で、遊技機の前面側から灰皿の状態を切り換え、その後、遊技機の前面側から操作部を操作して灰皿の切換動作をできない状態に戻すといったように、一連の灰皿状態の切換作業を全て遊技機の前面側から行うことができ、灰皿状態の切換作業性を向上させることができる。
【００１１】
しかも、遊技機の裏面側から操作部を操作する必要がないため、遊技機の裏面側から操作部を操作する構成と比較して、裏構造の設計がし易くなる（設計の自由度が大きくなる）という利点もある。
【発明を実施するための最良の形態】
【００１２】
以下、本発明の一実施例を図面に基づいて説明する。
まず、図１に基づいてパチンコ機の前面側の概略構成を説明する。パチンコ機１１（遊技機）の本体枠１２の前面側には、ガラス扉１３（前面開閉部材）が開閉可能に設けられている。このガラス扉１３の後方に、遊技盤１４が取り付けられ、この遊技盤１４の前面に、図示しない内レールや外レール等によってパチンコ球（遊技球）が転動する遊技領域が区画形成されている。
【００１３】
一方、本体枠１２の前面側下部には、前面パネル１５が開閉可能に設けられ、この前面パネル１５に、パチンコ球を貯溜する球皿１６が１皿のみ設けられている。これにより、球皿１６の取付位置を従来よりも低くして、球皿１６上方の遊技盤１４の面積を拡大できるようにしている。また、前面パネル１５の右側部には、球発射装置（図示せず）の発射操作ハンドル１７が配置され、前面パネル１５の左側部には、タバコの灰や吸い殻等を受け入れるための灰皿１８が配置されている。
【００１４】
また、本体枠１２の側端部には、施錠装置１９が設けられている。この施錠装置１９は、図示しない外枠に対して開閉可能な本体枠１２や、本体枠１２に対して開閉可能なガラス扉１３を閉鎖状態で施錠するためのものである。
【００１５】
次に、図２乃至図５に基づいて灰皿１８の状態を切り換える灰皿装置の構成について説明する。図２乃至図４に示すように、灰皿１８は、外形が略円柱形状に形成され、その両側面に形成された支持軸２０を介して回動可能に設けられている。この灰皿１８は、上面にタバコの灰や吸い殻等を受け入れる受入凹部２１が形成され、この受入凹部２１を上向きにしてタバコの灰や吸い殻等を受入凹部２１で受け入れ可能な使用可能状態（図３参照）と、受入凹部２１を後斜め下向きに反転させた使用不能状態（図４参照）との間を切換動作できるようになっている。
【００１６】
この灰皿１８の後方には、灰皿１８の使用可能状態と使用不能状態との間の切換動作を可能にするための切換機構２２が設けられている。この切換機構２２の本体ケース２３には、灰皿１８の回動をロックするためのロック部材２４が前後方向にスライド移動可能に設けられ、このロック部材２４の前後位置を調整するための調整レバー２５が上下方向にスライド移動可能に設けられている。更に、調整レバー２５の上下方向のスライド移動をロック部材２４の前後方向のスライド移動に変換するＬ字形アーム２６が支持軸２７に回動可能に軸支されている。
【００１７】
このＬ字形アーム２６は、支持軸２７から調整レバー２５側の連結軸２５ａまでの距離よりも支持軸２７からロック部材２４側の連結軸２４ａまでの距離の方が長くなるように形成されている。これにより、調整レバー２５のスライド移動量がＬ字形アーム２６によって増幅されてロック部材２４に伝達されるため、調整レバー２５のスライド移動量よりもロック部材２４のスライド移動量の方が大きくなるようになっている。
【００１８】
調整レバー２５は、スプリング２８等の付勢手段によって下方に付勢され、この調整レバー２５の上端部には、調整レバー２５の上下移動を操作するための操作部２９が形成されている。この調整レバー２５の操作部２９は、前面パネル１５よりも上方に突出してガラス扉１３の後方に配置され、ガラス扉１３を前方に開放したときに、パチンコ機１１の前面側から調整レバー２５の操作部２９を操作できるようになっている。
【００１９】
また、図５に示すように、調整レバー２５の側方には、弾性変形可能な弾性片３０が調整レバー２５とほぼ平行に設けられ、調整レバー２５の上下移動の際に、調整レバー２５の側面に設けられた突出部３１が弾性片３０に設けられたストッパ３２に当接するようになっている。本実施例では、突出部３１の上面とストッパ３２の下面が、それぞれ傾斜面状に形成されている。これにより、図５（ｂ）に示すように、調整レバー２５が下方に移動して突出部３１が上方からストッパ３２に当接する際には、突出部３１の下面（平坦面）がストッパ３２の上面（平坦面）に当接することで調整レバー２５の下方への移動が規制されるが、図５（ｃ）に示すように、調整レバー２５が上方に移動して突出部３１が下方からストッパ３２に当接する際には、突出部３１の上面（傾斜面）がストッパ３２の下面（傾斜面）に当接することで弾性片３０を側方に弾性変形させながら突出部３１がストッパ３２を乗り越えて調整レバー２５が上方に移動できるようになっている。
【００２０】
切換機構２２は、図２に示すように、調整レバー２５の操作部２９を手で引き上げて、調整レバー２５の突出部３１がストッパ３２よりも上方となるロック解除位置［図５（ａ）参照］まで調整レバー２５をスプリング２８の付勢力に抗して上方にスライド移動させると、ロック部材２４が後方にスライド移動して本体ケース２３内に格納される。これにより、灰皿１８がロック部材２４に邪魔されずに正方向（図２では反時計回り方向）及び逆方向（図２では時計回り方向）に回動できるようになって、灰皿１８が使用可能状態と使用不能状態との間で切換動作可能なロック解除状態となる。
【００２１】
灰皿１８を使用可能状態に切り換える場合には、灰皿１８が切換動作可能なロック解除状態で、図３に示すように、灰皿１８を正方向に回動させて使用可能状態に切り換えた後、調整レバー２５の操作部２９から手を放すと、調整レバー２５の突出部３１がストッパ３２の上面に当接する第１のロック位置［図５（ｂ）参照］まで調整レバー２５がスプリング２８の付勢力により下方にスライド移動する。これにより、ロック部材２４が前方にスライド移動してロック部材２４の先端に設けられたストッパ３３が本体ケース２３から突出する。
【００２２】
この場合、灰皿１８を逆方向へ回動させて使用不能状態に切り換えようとしても、灰皿１８の外周面に設けられたリブ３４がロック部材２４のストッパ３３に当接することで、灰皿１８の逆方向への回動が阻止されて、灰皿１８の使用不能状態への切換動作を禁止する第１のロック状態となり、灰皿１８が使用可能状態に保持される。
【００２３】
この第１のロック状態（灰皿１８が使用可能状態）では、灰皿１８を正方向に回動させることで、灰皿１８内の灰や吸い殻等を下方に排出できるようになっているが、灰皿１８の側面等に設けたリブ（図示せず）が前面パネル１５側に設けた正方向側ストッパ（図示せず）に当接することで、灰皿１８の正方向への回動が規制されるようになっている。また、本体ケース２３の長孔３５に挿通したネジ３６を調整レバー２５のボス部３７に締め込むことで、調整レバー２５が第１のロック位置で固定されて切換機構２２が第１のロック状態で固定されるようになっている。
【００２４】
一方、灰皿１８を使用不能状態に切り換える場合には、灰皿１８が切換動作可能なロック解除状態で、図４に示すように、灰皿１８を逆方向に回動させて使用不能状態に切り換えた後、調整レバー２５の操作部２９から手を放すと、調整レバー２５がスプリング２８の付勢力により第１のロック位置［図５（ｂ）参照］まで下方にスライド移動し、更に、弾性片３０を手で側方に弾性変形させると、調整レバー２５の突出部３１がストッパ３２よりも下方となる第２のロック位置［図５（ｃ）参照］まで調整レバー２５がスプリング２８の付勢力により下方にスライド移動する。これにより、ロック部材２４が前方にスライド移動してロック部材２４の前側部分が灰皿１８の受入凹部２１内に挿入される。
【００２５】
この場合、灰皿１８を正方向へ回動させて使用可能状態に切り換えようとしても、灰皿１８の受入凹部２１の内壁面がロック部材２４のストッパ３３に当接することで、灰皿１８の正方向への回動が阻止されて、灰皿１８の使用可能状態への切換動作を禁止する第２のロック状態となり、灰皿１８が使用不能状態に保持される。
【００２６】
この第２のロック状態（灰皿１８が使用不能状態）では、灰皿１８の側面等に設けたリブ（図示せず）が前面パネル１５側に設けた逆方向側ストッパ（図示せず）に当接することで、灰皿１８の逆方向への過回動が規制されるようになっている。また、本体ケース２３の長孔３５に挿通したネジ３６を調整レバー２５のボス部３７に締め込むことで、調整レバー２５が第２のロック位置で固定されて切換機構２２が第２のロック状態で固定されるようになっている。
【００２７】
以上説明した本実施例では、ガラス扉１３の後方に切換機構２２の操作部２９を配置するようにしたので、ガラス扉１３が閉鎖状態で施錠されている通常時には、遊技者等が勝手に操作部２９を操作することができず、灰皿１８が勝手に使用可能状態から使用不能状態（又は使用不能状態から使用可能状態）に切り換えられる悪戯行為を未然に防止することができる。
【００２８】
一方、従業員等が灰皿１８の状態を切り換える場合には、従業員等がガラス扉１３の施錠を解除してガラス扉１３を前方に開放すれば、パチンコ機１１の前面側から切換機構２２の操作部２９を操作できる状態となる。この状態で、パチンコ機１１の前面側から操作部２９を操作して灰皿１８が切換動作可能なロック解除状態にした後、パチンコ機１１の前面側から灰皿１８を使用可能状態から使用不能状態（又は使用不能状態から使用可能状態）に切り換え、その後、パチンコ機１１の前面側から操作部２９等を操作して灰皿１８の切換動作を禁止する第２のロック状態（又は第１のロック状態）にするといったように、一連の灰皿状態の切換作業を全てパチンコ機１１の前面側から行うことができ、灰皿状態の切換作業性を向上させることができる。
【００２９】
しかも、パチンコ機１１の裏面側から操作部２９を操作する必要がないため、パチンコ機１１の裏面側から操作部２９を操作する構成にした場合と比較して、裏構造の設計がし易くなって設計の自由度が大きくなるという利点もある。
【００３０】
尚、上記実施例では、ガラス扉１３の後方に切換機構２２の操作部２９を配置するようにしたが、他の前面開閉部材（例えば、ガラス扉や前面パネルに開閉可能に設けた開閉部材）の後方に切換機構２２の操作部２９を配置するようにしても良い。
【００３１】
また、上記実施例では、球皿を１皿のみ設けたパチンコ機に本発明を適用したが、上皿と下皿を設けた２皿構成のパチンコ機に本発明を適用しても良い。例えば、ガラス扉に上皿を設けると共に、このガラス扉の下方に下皿と灰皿を設けた構成において、ガラス扉の後方に灰皿の切換機構の操作部を配置するようにしても良い。また、ガラス扉の下方に上皿と下皿と灰皿を設けた構成において、ガラス扉の後方に灰皿の切換機構の操作部を配置するようにしても良い。また、ガラス扉下方の開閉可能な前面パネルに上皿を設けると共に、この前面パネルの下方に下皿と灰皿を設けた構成において、前面パネルの後方に灰皿の切換機構の操作部を配置するようにしても良い。
【００３２】
また、本発明の適用範囲は、一般のパチンコ機に限定されず、アレンジ式のパチンコ機やスロットゲームを行うパチスロ機等、種々の遊技機に本発明を適用しても良い。
【図面の簡単な説明】
【００３３】
【図１】本発明の一実施例におけるパチンコ機の正面図である。
【図２】ロック解除状態を示す切換機構及び灰皿の縦断側面図である。
【図３】第１のロック状態（使用可能状態）を示す切換機構及び灰皿の縦断側面図である。
【図４】第２のロック状態（使用不能状態）を示す切換機構及び灰皿の縦断側面図である。
【図５】（ａ）はロック解除位置を説明するための調整レバー及びその周辺の背面図で、（ｂ）は第１のロック位置を説明するための調整レバー及びその周辺の背面図で、（ｃ）は第２のロック位置を説明するための調整レバー及びその周辺の背面図である。
【符号の説明】
【００３４】
１１…パチンコ機（遊技機）、１３…ガラス扉（前面開閉部材）、１４…遊技盤、１６…球皿、１８…灰皿、２２…切換機構、２４…ロック部材、２５…調整レバー、２６…Ｌ字形アーム、２９…操作部
【図１】
2007202958.tif 000003
【図２】
2007202958.tif 000004
【図３】
2007202958.tif 000005
【図４】
2007202958.tif 000006
【図５】
2007202958.tif 000007